(57)【要約】【課題】  電気掃除機の高出力化、軽量化に伴い、電気掃除機に用いられる整流子電動機は高速回転化が進んできている。整流子電動機の高速回転化に伴い、ブラシ箱の振動がブラシ寿命へ与える影響が大きくなるという課題があった。本発明は、整流子電動機のブラシ保持器の振動を抑制することにより、高速回転時においてもブラシ寿命を延長、安定化させることのできるブラシ保持器の構成を提供することを目的とする。【解決手段】  樹脂で成型された保持器と黄銅板等で形成されたブラシ箱からなり、保持器に設けた溝にブラシ箱に設けた切り欠き凸部を圧接した構成とすることにより、ブラシ箱と保持器とを容易に確実に固定することができるため、ブラシ箱の整流子電動機回転方向の振動を抑制し、高速回転時においても整流子電動機のブラシ寿命の延長、安定化する事ができる。【選択図】  図２
2006136112.tif 000002
【特許請求の範囲】
【請求項１】
樹脂で成型された嘩持器と、黄銅板等で形成され前記保持器にて保持固定されるブラシ箱と、前記ブラシ箱内を摺勤し整流子に接触通電されるカーボンブラシからなるブラシ保持器において、ブラシ箱と隣接する保持器面に凹部を設け、前記保持器面の凹部に圧入となる凸部をブラシ箱に設け、保持器面の凹部とブラシ箱の凸部を圧接させた構成としたことを特徴とする整流子電動機のブラシ保持器。
【請求項２】
請求項１において、ブラシ箱にスリットを設け、保持器面の凹部へ前記ブラシ箱のスリット部を圧入変形させたことを特徴とする整流子電動機のブラシ保持器。
【請求項３】
請求項２において、ブラシ箱に設けられたスリットの対面に、スリット部を押圧変形させるための治具が挿入できるように穴を設けたことを特徴とする整流子電動機のブラシ保持器。
【発明の詳細な説明】
【技術分野】
【０００１】
本発明は、電気掃除機等に用いられる、整流子電動機のブラシ保持器に関するものである。
【背景技術】
【０００２】
電気掃除機の高出力化、軽量化に伴い、電気掃除機に用いられる整流子電動機は高速回転化が進んできている。
【０００３】
一般的に整流子電動機のブラシ保持器は、カーボンブラシを内包するように黄銅板等を折り曲げて形成されたブラシ箱と、鋼板製のブラケットとの絶縁のために樹脂で成型された保持器とで構成されている。ブラシ箱は、保持器に設けられた角穴に圧入固定され、ブラシ箱の合わせ面に設けられたフランジ部の切り起こしによって抜け止めが施されている。
【０００４】
また、ブラシ保持器は、螺子等によってブラケットに固定されている。ブラシ箱またはブラシ保持器の固定が不十分である場合、ブラシ箱またはブラシ保持器の振動が増加し、ブラシ寿命が低下、不安定になる。特に高速回転になるはどこの現象が顕著に現れてくることになる。（例えば、特許文献１参照）
【特許文献１】特開２００１―８４２４号公報
【発明の開示】
【発明が解決しようとする課題】
【０００５】
整流子電動機の高速回転化に伴い、ブラシ箱の振動がブラシ寿命の低下、不安定化へ与える影響が大きくなっている。ブラシ寿命の低下、不安定化への影響を小さくするためには、保持器とブラシ箱との固定を確実にすることが求められる。
【０００６】
一般的に、ブラシ箱保持器に設けられた角穴に圧入することで固定されているが、圧入の締め代が大きすぎるとブラシ箱の内径寸法の変形につながり、カーボンブラシの摺動を妨げ、ブラシ寿命の低下、不安定化につながり、また保持器が熱硬化性樹脂で成型されている場合には保持器の割れが発生する可能性がある。圧入の締め代が小さすぎると保持器とブラシ箱の固定が不十分となり、保持器樹脂の収縮によりブラシ箱と保持器との問に隙間が生じ、ブラシ箱の振動が増加し、ブラシ寿命の低下、不安定化につながる。このように保持器とブラシ箱との圧入の締め代の管理が重要であるが、許容交差が小さく困難であった。また、樹脂で成型された保持器の角穴は、金型の抜きテーバーのため、入口内径寸法と出口内径寸法とに差が生じている。このことも、保持器とブラシ箱とを確実に固定するための圧入の締め代の管理を困難にしている。
【課題を解決するための手段】
【０００７】
上記課題点を解決するために、本発明の整流子電動機のブラシ保持器は、樹脂で成型された保持器と黄銅板等で形成されたブラシ箱からなり、保持器に設けた凹部に、ブラシ箱に設けたスリットを押圧変形させて形成した凸部を圧接した構成とすることにより、ブラシ箱と保持器とを容易に確実に固定することができるため、ブラシ箱の整流子電動機回転方向の振動を抑制し、高速回転時においても整流子電動機のブラシ寿命の延長、安定化する事ができる。
【発明の効果】
【０００８】
本発明の整流子電動機のブラシ保持器によれば、ブラシ箱と保持器とを容易に確実に固定することができるため、ブラシ箱の整流子電動機回転方向の振動を抑制し、高速回転時においても整流子電動機のブラシ寿命の延長、安定化することができる。
【発明を実施するための最良の形態】
【０００９】
樹脂で成型された保持器と黄銅板等で形成されたブラシ箱からなる整流子電動機のブラシ保持器において、保持器に設けた凹部にブラシ箱に設けた切り欠き凸部を圧接した構成としたことを特徴とするブラシ保持器について、実施例を用いて説明する。
【実施例】
【００１０】
以下、図面を参照にしながら、本発明の整流子電動機のブラシ保持器について詳細に説明する。図１は本発明の実施例に於けるブラシ保持器を用いた電気掃除機用の整流子電動機の半断面図を表し、図２は本発明の実施例に於けるブラシ保持器の断面図及び矢視図を表し、図３は本発明の実施例に於けるブラシ保持器のブラシ箱部分を表している。
図１、図２及び図３において、１は螺子２によって鋼板製のブラケット３に固定されたブラシ保持器であり、界磁４の巻線に結線されている。ブラシ保持器１は、カーボンブラシ５を内包するように黄銅板等を折り曲げて形成されたブラシ箱１ａと、ブラシ箱７と銅板製のブラケット３とを絶縁するために樹脂で成型された保持器６とで構成されている。ブラシ箱７は、保持器６に設けられた角穴に圧入固定され、ブラシ箱７の合わせ面に設けられたフランジ部８の切り起こし９によって抜け止めが施されている。ブラシ箱７を保持器６に挿入した後、保持器７に設けられた凹部１０に、ブラシ箱７に設けたスリット１２をスリット１２の設けられた面の対面に設けられた穴１３から治具により押圧変形させることで形成された凸部１１を圧接させている。このように、凸部１１を保持器６の凹部１０に圧接することにより、ブラシ箱７と保持器６とを容易に確実に固定することができるため、ブラシ箱７の整流子電動機回転方向の振動を抑制することができる．また、保持器６の金型の抜きテーバーよって角穴の入口内径寸法と出口内径寸法との差が生じ、このことがブラシ箱７と保持器６との圧入固定を不安定にする可能性があるが、ブラシ箱７の凸部１１を保持器６の角穴の内径寸法の大きい方に圧入される側に設けることで、容易に確実にブラシ箱７と保持器６とを固定することが可能となる。
【産業上の利用可能性】
【００１１】
本発明の整流子電動機のブラシ保持器は、整流子電動機の高速回転化に最適であり、高出力化、軽量化が求められる電気掃除機等の用途に有用である．
【図面の簡単な説明】
【００１２】
【図１】本発明の実施例におけるブラシ保持器を用いた整流子電動機の半断面図
【図２】本発明の実施例におけるブラシ保持器、（ａ）判断面図Ａ方向から見た矢視図、（ｂ）判断面図Ｂ方向から見た矢視図、（ｃ）半断面図
【図３】本発明の実施例におけるブラシ保持器のブラシ箱部分、（ａ）半断面図、（ｂ）判断面図Ｃ方向から見た矢視図
【符号の説明】
【００１３】
１  ブラシ保持器
２  螺子
３  ブラケット
４  界磁
５  カーボンブラシ
６  ブラシ箱
７  保持器
８  フランジ部
９  切り起し
１０  凹部
１１  凸部
１２  スリット
１３  孔
【図１】
2006136112.tif 000003
【図２】
2006136112.tif 000004
【図３】
2006136112.tif 000005